(57)【要約】      （修正有）【課題】顔面に対してマスクを確実に装着しつつマスクの圧迫による息苦しさを防ぐマスクスペーサを提供する。【解決手段】マスク着用者の口と鼻とを覆うマスク本体に左右一対で設けた耳掛けでマスク着用者の耳に装着されるマスクとマスク着用者の顔面との間に介在させてマスクのマスク本体をマスク着用者の口と鼻とから離間させる環状のマスクスペーサ１００であって、マスク着用者の口と鼻との周囲を囲繞してマスク着用者の顔面輪郭に追従して覆う環状スペーサ本体１１０と、環状スペーサ本体１１０の上方部位の環状スペーサ本体１１０の着用者側に切り欠き形成されてマスク着用者の鼻を位置決めする鼻収容部１１１と、環状スペーサ本体１１０の上方部位に設けてマスク本体の上端縁部をマスク着用者側から差し込んで前方側に反転折り返してマスク本体を装着自在に係止する左右一対のマスク上端縁係止片１２０とを備えている。【選択図】図２
0003228834.tif 000002
【実用新案登録請求の範囲】
【請求項１】
マスク着用者の口と鼻とを覆うマスク本体に左右一対で設けた耳掛けで前記マスク着用者の耳に装着されるマスクと前記マスク着用者の顔面との間に介在させて前記マスクのマスク本体を前記マスク着用者の口と鼻とから離間させる環状のマスクスペーサにおいて、
前記マスク着用者の口と鼻との周囲を囲繞して前記マスク着用者の顔面輪郭に追従して覆う環状スペーサ本体と、
前記環状スペーサ本体の上方部位の環状スペーサ本体の着用者側に切り欠き形成されて前記マスク着用者の鼻を位置決めする鼻収容部と、
前記環状スペーサ本体の上方部位に設けて前記マスク本体の上端縁部をマスク着用者側から差し込んで前方側に反転折り返して前記マスク本体を装着自在に係止する左右一対のマスク上端縁係止片とを備えていることを特徴とするマスクスペーサ。
【請求項２】
前記環状スペーサ本体の下方部位に設けて前記マスク本体の下端縁部をマスク着用者側から差し込んで前方側に反転折り返して前記マスク本体を装着自在に係止するマスク下端縁係止片を備えていることを特徴とする請求項１に記載のマスクスペーサ。
【請求項３】
前記マスク下端縁係止片から前記マスク本体の脱落を抑制するマスク脱落抑制突起が、前記マスク下端縁係止片の両側方に設けられていることを特徴とする請求項２に記載のマスクスペーサ。
【考案の詳細な説明】
【技術分野】
【０００１】
本考案は、マスク着用者の耳に装着されるマスクとマスク着用者の顔面との間に介在させてマスクのマスク本体をマスク着用者の口と鼻とから離間させるマスクスペーサに関するものである。
【背景技術】
【０００２】
従来、マスク着用者の口と鼻とを覆い粉塵や花粉などの流入を防ぐマスクとして、矩形状の布や不織布からなるマスク本体の両側にゴム紐等の耳掛けを備えたものが知られている。
そして、このようなマスクの機能を損なうことなく、マスクの圧迫による息苦しさを防止するために、外気を通さない可撓性材料を用いてマスク本体をマスク着用者の口と鼻とから離間させる環状のマスクスペーサが用いられている（例えば、特許文献１参照）。
【先行技術文献】
【特許文献】
【０００３】
【特許文献１】特開２０１５−１９９２０号公報
【考案の概要】
【考案が解決しようとする課題】
【０００４】
しかし、特許文献１で知られているようなマスクスペーサは、マスク着用者の顔面とマスクとで単に挟持しているにすぎない。
したがって、粉塵や花粉などの多い工事現場や建設現場で働く作業員など、マスクを装着した状態で身体を動かす機会の多いマスク着用者にとっては、マスク着用中に顔面とマスクスペーサとの間のずれ、マスクとマスクスペーサとの間のずれなどによって、マスクの機能が損なわれるというマスクの取り扱い上の厄介な問題があった。
【０００５】
そこで、本考案は、上述した従来の問題を解決するものであって、すなわち、本考案の目的は、顔面に対してマスクを確実に装着しつつマスクの圧迫による息苦しさを防ぐマスクスペーサを提供することである。
【課題を解決するための手段】
【０００６】
請求項１に係る考案は、マスク着用者の口と鼻とを覆うマスク本体に左右一対で設けた耳掛けで前記マスク着用者の耳に装着されるマスクと前記マスク着用者の顔面との間に介在させて前記マスクのマスク本体を前記マスク着用者の口と鼻とから離間させる環状のマスクスペーサにおいて、前記マスク着用者の口と鼻との周囲を囲繞して前記マスク着用者の顔面輪郭に追従して覆う環状スペーサ本体と、前記環状スペーサ本体の上方部位の環状スペーサ本体の着用者側に切り欠き形成されて前記マスク着用者の鼻を位置決めする鼻収容部と、前記環状スペーサ本体の上方部位に設けて前記マスク本体の上端縁部をマスク着用者側から差し込んで前方側に反転折り返して前記マスク本体を装着自在に係止する左右一対のマスク上端縁係止片とを備えていることにより、前述した課題を解決するものである。
【０００７】
請求項２に係る考案は、請求項１に記載されたマスクスペーサの構成に加えて、前記環状スペーサ本体の下方部位に設けて前記マスク本体の下端縁部をマスク着用者側から差し込んで前方側に反転折り返して前記マスク本体を装着自在に係止するマスク下端縁係止片を備えていることにより、前述した課題をさらに解決するものである。
【０００８】
請求項３に係る考案は、請求項２に記載されたマスクスペーサの構成に加えて、前記マスク下端縁係止片から前記マスク本体の脱落を抑制するマスク脱落抑制突起が、前記マスク下端縁係止片の両側方に設けられていることにより、前述した課題をさらに解決するものである。
【考案の効果】
【０００９】
請求項１に係る考案のマスクスペーサによれば、環状スペーサ本体の上方部位に設けてマスク本体の上端縁部をマスク着用者側から差し込んで前方側に反転折り返してマスク本体を装着自在に係止する左右一対のマスク上端縁係止片を備えていることにより、マスク着用時にマスク本体の上端縁部が左右一対のマスク上端縁係止片にそれぞれ係止されて保持され、その結果、マスク本体がマスクスペーサと一体化されるため、マスクの圧迫による息苦しさを防止しつつ、マスク着用時にマスク着用者が大声を発して口を上下方向などに大きく動かしても顔面とマスクとの間のずれを生じにくくして、粉塵や花粉などの流入を防ぐなどのマスクの機能を充分に発揮することができる。
更に、環状スペーサ本体の上方部位の環状スペーサ本体の着用者側に切り欠き形成されてマスク着用者の鼻を位置決めする鼻収容部を備えていることにより、マスク着用時にマスク着用者が大きく開口したり、マスク本体に何らかの外力などが加わり顔面とマスクとの相対的なずれが生じたりするような状況であっても、マスク着用者の顔面から突出する鼻が環状スペーサ本体の鼻収容部に確実に位置決めされているため、マスクスペーサと顔面との密着性を向上させることができる。
したがって、顔面に対してマスクを確実に装着しつつマスクの圧迫による息苦しさを防ぐことができる。
特に、安全ヘルメットを着用する工事現場や製造現場においてマスクを着用する際には、上述した効果が顕著である。
【００１０】
請求項２に係る考案のマスクスペーサによれば、環状スペーサ本体の下方部位に設けてマスク本体の下端縁部をマスク着用者側から差し込んで前方側に反転折り返してマスク本体を装着自在に係止するマスク下端縁係止片を備えていることにより、マスク着用時にマスク本体の上端縁部が左右一対のマスク上端縁係止片にそれぞれ係止されるとともにマスク本体の下端縁部がマスク下端縁係止片に係止され、その結果、マスク本体が環状スペーサ本体の上方部位２ケ所と下方部位１ケ所の計３ケ所で確実に保持されるため、工事現場のようなマスク着用時にマスク着用者が大きく開口したり、マスク本体に何らかの外力などが加わり顔面とマスクとの相対的なずれが生じたりする状況においても、顔面及びマスクとの間のずれを生じにくくすることができる。
【００１１】
請求項３に係る考案のマスクスペーサによれば、マスク下端縁係止片からマスク本体の脱落を抑制するマスク脱落抑制突起が、マスク下端縁係止片の両側方に設けられていることにより、マスク本体の下端縁部がマスク下端縁係止片に押し付けられてマスクスペーサの下端縁係止片から脱落しにくくなるため、マスクがマスク本体の上端縁部のみに芯材を有している場合であってもマスクをより確実に保持することができる。
【図面の簡単な説明】
【００１２】
【図１】本考案の実施例であるマスクスペーサに装着したマスクを着用した状況を示すマスクスペーサの使用態様図。
【図２】本考案の実施例であるマスクスペーサの斜視図。
【図３Ａ】本考案の実施例であるマスクスペーサの正面図。
【図３Ｂ】本考案の実施例であるマスクスペーサの底面図。
【図４Ａ】本考案の実施例であるマスクスペーサに装着したマスクを着用したマスク着用者の正面図。
【図４Ｂ】図４ＡのＩＶＢ−ＩＶＢ断面図。
【図５Ａ】本考案の実施例であるマスクスペーサにマスクを装着する手順の説明図。
【図５Ｂ】本考案の実施例であるマスクスペーサにマスクを装着する手順の説明図。
【図５Ｃ】本考案の実施例であるマスクスペーサにマスクを装着する手順の説明図。
【図５Ｄ】本考案の実施例であるマスクスペーサにマスクを装着した状態の底面図。
【考案を実施するための形態】
【００１３】
本考案は、マスク着用者の口と鼻とを覆うマスク本体に左右一対で設けた耳掛けでマスク着用者の耳に装着されるマスクとマスク着用者の顔面との間に介在させてマスクのマスク本体をマスク着用者の口と鼻とから離間させる環状のマスクスペーサにおいて、マスク着用者の口と鼻との周囲を囲繞してマスク着用者の顔面輪郭に追従して覆う環状スペーサ本体と、環状スペーサ本体の上方部位の環状スペーサ本体の着用者側に切り欠き形成されてマスク着用者の鼻を位置決めする鼻収容部と、環状スペーサ本体の上方部位に設けてマスク本体の上端縁部をマスク着用者側から差し込んで前方側に反転折り返してマスク本体を装着自在に係止する左右一対のマスク上端縁係止片とを備え、顔面に対してマスクを確実に装着しつつマスクの圧迫による息苦しさを防ぐものであれば、その具体的な実施態様は、如何なるものであっても構わない。
【００１４】
例えば、マスクスペーサの素材については、マスク着用者の口と鼻との周囲を囲繞してマスク着用者の顔面輪郭に追従して覆うために必要な可撓性を有するものあれば如何なる素材であってもよいが、シリコーンゴムであることが好ましい。
【００１５】
例えば、マスクスペーサに装着されるマスクは、マスク着用者の口と鼻とを覆うものであれば、マスク本体の材質は不織布製であってもよいし、布製であってもよい。
【実施例】
【００１６】
以下、図１乃至図５Ｄに基づいて、本考案の実施例であるマスクスペーサ１００を説明する。
【００１７】
＜１．マスクの構造＞
まず、図１に基づいて、本考案の実施例であるマスクスペーサ１００に装着されるマスクについて説明する。
図１は、本考案の実施例であるマスクスペーサに装着したマスクを着用した状況を示すマスクスペーサの使用態様図である。
【００１８】
マスクスペーサ１００に装着されるマスクＭは、マスク着用者Ｕの口と鼻とを覆い、マスク着用者Ｕの耳Ｕｅに装着される、プリーツ型マスクである。
そして、このマスクＭは、図１に示すように、マスク着用者Ｕの口と鼻とを覆う矩形状のマスク本体Ｍｂと、このマスク本体Ｍｂに左右一対で設けた耳掛けＭｈとからなる。
【００１９】
マスク本体Ｍｂは、不織布からなり、マスク着用者Ｕの顔にあてがわれる。
また、マスク本体Ｍｂの上端縁部Ｍｂｕには、マスク本体Ｍｂの装着隙間を屈曲自在に調整する装着調整用芯材Ｍｃが内蔵されている。
耳掛けＭｈは、例えばゴム紐からなり、マスク着用者Ｕの耳Ｕｅに掛けられる。
【００２０】
＜２．マスクスペーサの構造＞
次に、図２乃至図３Ｂに基づいて、マスクスペーサ１００を説明する。
図２は、本考案の実施例であるマスクスペーサの斜視図であり、図面右奥がマスク着用者側、図面左手前がマスク側を表す。
また、図３Ａは、本考案の実施例であるマスクスペーサ１００の正面図であり、図３Ｂは、本考案の実施例であるマスクスペーサ１００の底面図である。
【００２１】
マスクスペーサ１００は、シリコーンゴム製の環状スペーサ本体１１０と、マスク本体Ｍｂの上端縁部Ｍｂｕを装着自在に係止するマスク上端縁係止片１２０と、マスク本体Ｍｂの下端縁部Ｍｂｄを装着自在に係止するマスク下端縁係止片１３０と、マスク下端縁係止片１３０からマスク本体Ｍｂの脱落を抑制するマスク脱落抑制突起１４０と、マスクＭのマスク本体Ｍｂの前後方向の変形を抑制する架橋リブ１５０とを備える。
【００２２】
環状スペーサ本体１１０は、シリコーンゴム製であることから可撓性を有する。
これにより、環状スペーサ本体１１０が、マスクＭ着用時に可撓性を発揮するため、顔面の動きに対して追従して顔面とマスクＭとの間に隙間を作ることなく、顔面とマスクＭとのずれを生じにくくすることができる。
【００２３】
また、環状スペーサ本体１１０の上方部位のマスク着用者Ｕ側には、マスク着用者Ｕの鼻を収容可能な大きさのＶ字状に切り欠かれた鼻収容部１１１が形成されている。
鼻収容部１１１がこのように形成されていることにより、マスク着用者Ｕの顔面から突出する鼻Ｕｎが鼻収容部１１１の内部に収容され、マスク着用者Ｕの顔面とマスクスペーサ１００とのに隙間を作ることなく、顔面とマスクＭと相対的な位置が確実に固定される。
【００２４】
マスク上端縁係止片１２０は、環状スペーサ本体１１０の上方部位の左右に設けられた一対の係止片である。
そして、このマスク上端縁係止片１２０は、環状スペーサ本体１１０から立ち上がる立ち上がり部１２１と、立ち上がり部１２１からほぼ水平に伸びる水平部１２２とからなる逆Ｌ字状に形成されている。
また、水平部１２２と環状スペーサ本体１１０との間の距離は、マスクＭの装着調整用芯材Ｍｃの厚みよりも小さくなっている。
したがって、マスク上端縁係止片１２０は、マスク本体Ｍｂの上端縁部Ｍｂｕに内蔵されてマスク本体Ｍｂの装着隙間を屈曲自在に調整する装着調整用芯材Ｍｃも含めて係止することができる。
【００２５】
マスク下端縁係止片１３０は、環状スペーサ本体１１０の下方部位に設けられた係止片である。
そして、このマスク下端縁係止片１３０は、マスク上端縁係止片１２０環状と同様の形状であり、環状スペーサ本体１１０から立ち上がる立ち上がり部１３１と、立ち上がり部１３１からほぼ水平に伸びる水平部１３２とからなるＬ字状に形成されている。
【００２６】
マスク脱落抑制突起１４０は、図３Ａ及び図３Ｂに示すように、マスク下端縁係止片１３０の両側方に左右一対に設けられている。
マスク脱落抑制突起１４０の形状は、その一辺がマスク下端縁係止片１３０の立ち上がり部１３１の高さと同程度の長さである略立方体となっている。
また、図３Ｂに示すように、マスク脱落抑制突起１４０は、マスク下端縁係止片１３０の水平部１３２の先端付近に形成されている。
【００２７】
架橋リブ１５０は、環状スペーサ本体１１０の前方部位に二本平行して横架されている、四角形状の断面を有する部材である。
【００２８】
＜３．マスク着用者に対するマスク及びマスクスペーサの位置関係＞
次に、図４Ａ及び図４Ｂに基づいて、マスク着用者に対するマスク及びマスクスペーサの位置関係を説明する。
図４Ａは本考案の実施例であるマスクスペーサに装着したマスクを着用したマスク着用者の正面図であり、図４Ｂは図４ＡのＩＶＢ−ＩＶＢ断面図である。
【００２９】
図４Ａに示すように、マスク着用者Ｕが本実施例のマスクスペーサ１００に装着したマスクＭを着用すると、マスクスペーサ１００はマスク着用者Ｕの口Ｕｍと鼻Ｕｎとの周囲を囲繞する。
【００３０】
また、図４Ｂに示すように、マスク着用者Ｕが本実施例のマスクスペーサ１００に装着したマスクＭを着用すると、マスク本体Ｍｂとマスク着用者Ｕの顔面との間にマスクスペーサ１００が介在することで、マスク本体Ｍｂがマスク着用者Ｕの口Ｕｍと鼻Ｕｎとから離間される。
さらに、環状スペーサ本体１１０は可撓性を有することから、マスクＭによる前方からの押し付け力によって環状スペーサ本体１１０がわずかに変形することで、環状スペーサ本体１１０はマスク着用者Ｕの顔面輪郭に追従する。
【００３１】
架橋リブ１５０は、マスク着用者Ｕの口Ｕｍ付近及び鼻Ｕｎ付近に位置する。
マスク着用者Ｕが深く呼吸して息を吸い込むと、環状スペーサ本体１１０内が負圧になり、マスクＭのマスク本体Ｍｂは、マスク着用者Ｕの顔面側に凹むように変形する。
その際、架橋リブ１５０が存在することで、架橋リブ１５０がストッパーとなり、マスク本体Ｍｂの変形が抑制され、マスク着用者Ｕの口Ｕｍや鼻Ｕｎとマスク本体Ｍｂとが離間された状態が保たれる。
その結果、マスク着用者Ｕの口や鼻がマスク本体Ｍｂに接することがないため、マスクＭがマスク着用者Ｕの口や鼻に接触してマスク着用者Ｕが呼吸しにくくなることを確実に防止することができる。
【００３２】
＜４．マスクスペーサにマスクを装着する手順＞
次に、図５Ａ乃至図５Ｄに基づいて、本考案の実施例であるマスクスペーサにマスクを装着する手順を説明する。
図５Ａ乃至図５Ｃは、本考案の実施例であるマスクスペーサにマスクを装着する手順の説明図であり、図５Ｄは本考案の実施例であるマスクスペーサにマスクを装着した状態の底面図である。
【００３３】
まず、図５Ａに示すように、マスク本体Ｍｂの上端縁部Ｍｂｕを、マスクＭ着用時にマスク着用者Ｕの顔面側となる面を上方にして、環状スペーサ本体１１０の上方部位に左右一対で設けたマスク上端縁係止片１２０にマスク着用者Ｕ側から差し込んで係止する。
具体的には、マスク本体Ｍｂの上端縁部Ｍｂｕを、環状スペーサ本体１１０とマスク上端縁係止片１２０の水平部１２２との隙間に差し込む。
このとき、環状スペーサ本体１１０とマスク上端縁係止片１２０の水平部１２２との隙間には、マスク本体Ｍｂの上端縁部Ｍｂｕに内蔵された装着調整用芯材Ｍｃも含めて差し込まれる。
【００３４】
次に、図５Ａ及び図５Ｂに示すように、マスク本体Ｍｂの下端縁部Ｍｂｄを前方側に反転折り返しつつ、マスク本体Ｍｂがマスクスペーサ１００の前面を覆うようにマスク本体Ｍｂを展開する。
そして、マスク本体Ｍｂの下端縁部Ｍｂｄを、環状スペーサ本体１１０の下方部位に設けたマスク下端縁係止片１３０付近まで移動させる。
【００３５】
図５Ｃは、マスク本体Ｍｂの下端縁部Ｍｂｄをマスク下端縁係止片１３０に係止する様子の側面図である。
図５Ｃに示すように、マスク本体Ｍｂの下端縁部Ｍｂｄを前方側に反転折り返し、マスク下端縁係止片１３０にマスク着用者Ｕ側から差し込んで係止する。
具体的には、マスク本体Ｍｂの下端縁部Ｍｂｄを、環状スペーサ本体１１０とマスク下端縁係止片１３０の水平部１３２との隙間に差し込む。
【００３６】
このとき、図５Ｄに示すように、マスク脱落抑制突起１４０が存在することで、マスク本体Ｍｂの下端縁部Ｍｂｄは、マスク下端縁係止片１３０に押し付けられている。
【００３７】
＜５．本実施例の効果＞
本実施例のマスクスペーサ１００によれば、環状スペーサ本体１１０の上方部位に設けてマスク本体Ｍｂの上端縁部Ｍｂｕをマスク着用者Ｕ側から差し込んで前方側に反転折り返してマスク本体Ｍｂを装着自在に係止する左右一対のマスク上端縁係止片１２０を備えていることにより、マスクＭ着用時にマスク本体Ｍｂの上端縁部Ｍｂｕが左右一対のマスク上端縁係止片１２０にそれぞれ係止されて保持され、その結果、マスク本体Ｍｂがマスクスペーサ１００と一体化されるため、マスクＭの圧迫による息苦しさを防止しつつ、マスクＭ着用時にマスク着用者Ｕが大声を発して口を上下方向などに大きく動かしても顔面とマスクＭとの間のずれを生じにくくして、粉塵や花粉などの流入を防ぐなどのマスクＭの機能を充分に発揮することができる。
更に、環状スペーサ本体１１０の上方部位の環状スペーサ本体１１０のマスク着用者Ｕ側に切り欠き形成されてマスク着用者Ｕの鼻Ｕｎを位置決めする鼻収容部１１１を備えていることにより、マスクＭ着用時にマスク着用者Ｕが大きく開口したり、マスク本体Ｍｂに何らかの外力などが加わり顔面とマスクＭとの相対的なずれが生じたりするような状況であっても、マスク着用者Ｕの顔面から突出する鼻Ｕｎが環状スペーサ本体１１０の鼻収容部１１１に確実に位置決めされているため、マスクスペーサ１００と顔面との密着性を向上させることができる。
したがって、顔面に対してマスクＭを確実に装着しつつマスクＭの圧迫による息苦しさを防ぐことができる。
特に、安全ヘルメットを着用する工事現場や製造現場においてマスクＭを着用する際には、上述した効果が顕著である。
【００３８】
また、環状スペーサ本体１１０の下方部位に設けてマスク本体Ｍｂの下端縁部Ｍｂｄをマスク着用者Ｕ側から差し込んで前方側に反転折り返してマスク本体Ｍｂを装着自在に係止するマスク下端縁係止片１３０を備えていることにより、マスクＭ着用時にマスク本体Ｍｂの上端縁部Ｍｂｕが左右一対のマスク上端縁係止片１２０にそれぞれ係止されるとともにマスク本体Ｍｂの下端縁部Ｍｂｄがマスク下端縁係止片１３０に係止され、その結果、マスク本体Ｍｂが環状スペーサ本体１１０の上方部位２ケ所と下方部位１ケ所の計３ケ所で確実に保持されるため、工事現場のようなマスクＭ着用時にマスク着用者Ｕが大きく開口したり、マスク本体Ｍｂに何らかの外力などが加わり顔面とマスクＭとの相対的なずれが生じたりする状況においても、顔面及びマスクＭとの間のずれを生じにくくすることができる。
【００３９】
また、マスク下端縁係止片１３０からマスク本体Ｍｂの脱落を抑制するマスク脱落抑制突起１４０が、マスク下端縁係止片１３０の両側方に設けられていることにより、マスク本体Ｍｂの下端縁部Ｍｂｄがマスク下端縁係止片１３０に押し付けられてマスクスペーサ１００のマスク下端縁係止片１３０から脱落しにくくなるため、マスクＭがマスク本体Ｍｂの上端縁部Ｍｂｕのみに装着調整用芯材Ｍｃを有している場合であってもマスクＭをより確実に保持することができる。
【００４０】
＜６．変形例＞
以上、本考案のマスクスペーサを具体的に説明したが、本考案のマスクスペーサは、上記に限定されるものではなく、その趣旨を逸脱しない範囲でその具体的な形態の変形が可能である。
【００４１】
例えば、本実施例の環状スペーサ本体１１０は厚みが一定であったが、マスク着用者との接触面積を増やすためにマスク着用者側の厚みを厚くしても良い。
この際、成型のしやすさを考慮して、環状スペーサ本体のマスク着用者側の厚さを一部だけ厚くしてもよい。
【００４２】
例えば、本実施例において、マスク上端縁係止片１２０は、環状スペーサ本体１１０の上方部位に左右一対で設けられているが、これに限定されるものではなく、例えば、環状スペーサ本体１１０の上方部位に一か所のみ設けられていてもよいし、三か所以上設けられてもよい。
【００４３】
例えば、本実施例において、マスク上端縁係止片１２０は、環状スペーサ本体１１０から立ち上がる立ち上がり部１２１と、立ち上がり部１２１からほぼ水平に伸びる水平部１２２とからなる逆Ｌ字状に形成されているが、マスク本体Ｍｂを装着自在に係止する機能を有すればこれに限定されるものではなく、例えば、水平部１２２の先端が環状スペーサ本体１１０に接する形状となっており、マスクスペーサ１００にマスクＭを装着する際に、水平部１２２を指でつまんで持ち上げ、マスク本体Ｍｂの上端縁部Ｍｂｕを差し込み、つまんでいた指を離すと、可撓性によって水平部１２２がマスク本体Ｍｂの上端縁部Ｍｂｕを強固に挟み込むものであってもよい。
【００４４】
例えば、本実施例において、マスク下端縁係止片１３０は、環状スペーサ本体１１０から立ち上がる立ち上がり部１３１と、立ち上がり部１３１からほぼ水平に伸びる水平部１３２とからなるＬ字状に形成されているが、マスク本体Ｍｂを装着自在に係止する機能を有すればこれに限定されるものではなく、例えば、水平部１３２の先端が環状スペーサ本体１１０に接する形状となっており、マスクスペーサ１００にマスクＭを装着する際に、水平部１３２を指でつまんで持ち上げ、マスク本体Ｍｂの下端縁部Ｍｂｄを差し込み、つまんでいた指を離すと、可撓性によって水平部１３２がマスク本体Ｍｂの下端縁部Ｍｂｄを強固に挟み込むものであってもよい。
【００４５】
例えば、本実施例において、架橋リブ１５０は、環状スペーサ本体１１０の前方部位に、二本平行して横架されているが、マスクＭのマスク本体Ｍｂの前後方向の変形を抑制する機能を有すればこれに限定されるものではなく、例えば、環状スペーサ本体１１０の前方部位に、一本のリブが横架されていてもよい。
また、本実施例において、架橋リブの断面形状は四角形状であったが、架橋リブの断面形状は円状、半円状等、如何なるものであってもよい。
また、架橋リブ１５０は、環状スペーサ本体１１０の前方部位に、マスク着用者Ｕの鼻付近から顎付近にかけて縦方向に形成されていてもよい。
また、架橋リブ１５０は、環状スペーサ本体１１０の前面を全て又は一部覆うメッシュ部材であってもよい。
【符号の説明】
【００４６】
１００          ・・・  マスクスペーサ
１１０          ・・・  環状スペーサ本体
１１１          ・・・  鼻収容部
１２０          ・・・  マスク上端縁係止片
１２１          ・・・  立ち上がり部
１２２          ・・・  水平部
１３０          ・・・  マスク下端縁係止片
１３１          ・・・  立ち上がり部
１３２          ・・・  水平部
１４０          ・・・  マスク脱落抑制突起
１５０          ・・・  架橋リブ
Ｍ              ・・・  マスク
Ｍｂ            ・・・  マスク本体
Ｍｂｕ          ・・・  マスク本体の上端縁部
Ｍｂｄ          ・・・  マスク本体の下端縁部
Ｍｃ            ・・・  装着調整用芯材
Ｍｈ            ・・・  耳掛け
Ｕ              ・・・  マスク着用者
Ｕｎ            ・・・  マスク着用者の鼻
Ｕｍ            ・・・  マスク着用者の口
Ｕｅ            ・・・  マスク着用者の耳
【図１】
0003228834.tif 000003
【図２】
0003228834.tif 000004
【図３Ａ】
0003228834.tif 000005
【図３Ｂ】
0003228834.tif 000006
【図４Ａ】
0003228834.tif 000007
【図４Ｂ】
0003228834.tif 000008
【図５Ａ】
0003228834.tif 000009
【図５Ｂ】
0003228834.tif 000010
【図５Ｃ】
0003228834.tif 000011
【図５Ｄ】
0003228834.tif 000012